【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
印刷装置と通信可能に接続され、受信したデータ放送データに含まれる印刷用データを当該印刷装置に送信することが可能なデジタル放送受信装置であって、
前記受信したデータ放送データをメモリに格納する格納手段と、
前記データ放送データに含まれ、前記印刷装置のステータス情報を取得するためのスクリプトと取得される複数のステータス情報に対応する複数のステータス表示用情報とを含む、マークアップ言語で記述された文書データを前記メモリから抽出する抽出手段と、
前記抽出手段で抽出された文書データを用いて、表示部に表示可能な表示用画像データを生成する生成手段と、
前記スクリプトを実行することで前記印刷装置のステータス情報を取得するためのコマンドを前記印刷装置に送信するとともに、前記コマンドに応答して前記印刷装置から取得したステータス情報を用いて、前記文書データに含まれた前記複数のステータス表示用情報から取得したステータス情報に対応するステータス表示用情報を特定する処理を実行する実行手段と、を有し、
前記生成手段は、前記実行手段によって特定されたステータス表示用情報を反映した表示用画像データを生成することを特徴とするデジタル放送受信装置。
【請求項２】
前記実行手段は一定周期で前記スクリプトを実行するためのタイマを有することを特徴とする請求項１に記載のデジタル放送受信装置。
【請求項３】
前記実行手段は前記印刷用データが前記印刷装置に送信された後、前記タイマの動作を開始することで一定周期毎に前記印刷装置のステータス情報を取得することを特徴とする請求項２に記載のデジタル放送受信装置。
【請求項４】
印刷装置と通信可能に接続され、受信したデータ放送データに含まれる印刷用データを当該印刷装置に送信することが可能なデジタル放送受信装置の制御方法であって、
前記受信したデータ放送データをメモリに格納する格納ステップと、
前記データ放送データに含まれ、前記印刷装置のステータス情報を取得するためのスクリプトと取得される複数のステータス情報に対応する複数のステータス表示用情報とを含む、マークアップ言語で記述された文書データを前記メモリから抽出する抽出ステップと、
前記抽出ステップで抽出された文書データを用いて、表示部に表示可能な表示用画像データを生成する生成ステップと、
前記スクリプトを実行することで前記印刷装置のステータス情報を取得するためのコマンドを前記印刷装置に送信するとともに、前記コマンドに応答して前記印刷装置から取得したステータス情報を用いて、前記文書データに含まれた前記複数のステータス表示用情報から取得したステータス情報に対応するステータス表示用情報を特定する処理を実行する実行ステップと、を有し、
前記生成ステップでは、前記実行ステップによって特定されたステータス表示用情報を反映した表示用画像データを生成することを特徴とするデジタル放送受信装置の制御方法。
【請求項５】
前記実行ステップではタイマを用いて一定周期で前記スクリプトを実行することを特徴とする請求項６に記載のデジタル放送受信装置の制御方法。
【請求項６】
前記実行ステップでは前記印刷用データが前記印刷装置に送信された後、前記タイマの動作を開始することで一定周期毎に前記印刷装置のステータス情報を取得することを特徴とする請求項５に記載のデジタル放送受信装置の制御方法。
【請求項７】
印刷装置と通信可能に接続され、受信したデータ放送データに含まれる印刷用データを当該印刷装置に送信可能なコンピュータに、
前記データ放送データに含まれ、前記印刷装置のステータス情報を取得するためのスクリプトと取得される複数のステータス情報に対応する複数のステータス表示用情報とを含む、マークアップ言語で記述された文書データを抽出する抽出ステップと、
前記抽出ステップで抽出された文書データを用いて、表示部に表示可能な表示用画像データを生成する生成ステップと、
前記スクリプトを実行することで前記印刷装置のステータス情報を取得するために前記印刷装置に送信するコマンドに応答して前記印刷装置から取得したステータス情報を用いて、前記文書データに含まれた前記複数のステータス表示用情報から取得したステータス情報に対応するステータス表示用情報を特定する処理を実行する実行ステップと、を実行させるとともに、
前記生成ステップでは、前記実行ステップによって特定されたステータス表示用情報を反映した表示用画像データを生成するように実行させることを特徴とするプログラム。
【手続補正２】
【補正対象書類名】明細書
【補正対象項目名】００２２
【補正方法】変更
【補正の内容】
【００２２】
上記目的を達成するために、請求項１に記載のデジタル放送受信装置は、印刷装置と通信可能に接続され、受信したデータ放送データに含まれる印刷用データを当該印刷装置に送信することが可能なデジタル放送受信装置であって、前記受信したデータ放送データをメモリに格納する格納手段と、前記データ放送データに含まれ、前記印刷装置のステータス情報を取得するためのスクリプトと取得される複数のステータス情報に対応する複数のステータス表示用情報とを含む、マークアップ言語で記述された文書データを前記メモリから抽出する抽出手段と、前記抽出手段で抽出された文書データを用いて、表示部に表示可能な表示用画像データを生成する生成手段と、前記スクリプトを実行することで前記印刷装置のステータス情報を取得するためのコマンドを前記印刷装置に送信するとともに、前記コマンドに応答して前記印刷装置から取得したステータス情報を用いて、前記文書データに含まれた前記複数のステータス表示用情報から取得したステータス情報に対応するステータス表示用情報を特定する処理を実行する実行手段と、を有し、前記生成手段は、前記実行手段によって特定されたステータス表示用情報を反映した表示用画像データを生成することを特徴とする。
上記目的を達成するために、請求項４に記載のデジタル放送受信装置の制御方法は、印刷装置と通信可能に接続され、受信したデータ放送データに含まれる印刷用データを当該印刷装置に送信することが可能なデジタル放送受信装置の制御方法であって、前記受信したデータ放送データをメモリに格納する格納ステップと、前記データ放送データに含まれ、前記印刷装置のステータス情報を取得するためのスクリプトと取得される複数のステータス情報に対応する複数のステータス表示用情報とを含む、マークアップ言語で記述された文書データを前記メモリから抽出する抽出ステップと、前記抽出ステップで抽出された文書データを用いて、表示部に表示可能な表示用画像データを生成する生成ステップと、前記スクリプトを実行することで前記印刷装置のステータス情報を取得するためのコマンドを前記印刷装置に送信するとともに、前記コマンドに応答して前記印刷装置から取得したステータス情報を用いて、前記文書データに含まれた前記複数のステータス表示用情報から取得したステータス情報に対応するステータス表示用情報を特定する処理を実行する実行ステップと、を有し、前記生成ステップでは、前記実行ステップによって特定されたステータス表示用情報を反映した表示用画像データを生成することを特徴とする。
上記目的を達成するために、請求項７に記載のプログラムは、印刷装置と通信可能に接続され、受信したデータ放送データに含まれる印刷用データを当該印刷装置に送信可能なコンピュータに、前記データ放送データに含まれ、前記印刷装置のステータス情報を取得するためのスクリプトと取得される複数のステータス情報に対応する複数のステータス表示用情報とを含む、マークアップ言語で記述された文書データを抽出する抽出ステップと、前記抽出ステップで抽出された文書データを用いて、表示部に表示可能な表示用画像データを生成する生成ステップと、前記スクリプトを実行することで前記印刷装置のステータス情報を取得するために前記印刷装置に送信するコマンドに応答して前記印刷装置から取得したステータス情報を用いて、前記文書データに含まれた前記複数のステータス表示用情報から取得したステータス情報に対応するステータス表示用情報を特定する処理を実行する実行ステップと、を実行させるとともに、前記生成ステップでは、前記実行ステップによって特定されたステータス表示用情報を反映した表示用画像データを生成するように実行させることを特徴とする。